(57)【要約】【課題】既存の温室に対して、大型上押さえパッキンを用いることのない透明板支持構造へと容易に改装する。【解決手段】本考案の温室の透明板支持構造は、左右両翼部に下側パッキンを、本体中央部に上側パッキンを嵌合させることのできる垂木１０に対して、左右両翼部には下側パッキンＰ１，Ｐ１を嵌合させ、本体中央部には上側パッキンの代わりに、嵩上げレール２０を嵌合させ、嵩上げレール２０の上から、左右末広がりの脚部３３，３３の下面に防水テープＴを貼り付けた垂木カバー３０をネジ止め固定することにより、下側パッキンＰ１，Ｐ１と垂木カバーの脚部３３，３３との間にガラス板Ｇを挟んで固定する様にしたことを特徴とする。【選択図】  図１
0003137019.tif 000002
【実用新案登録請求の範囲】
【請求項１】
左右両翼部に下側パッキンを、本体中央部に上側パッキンを嵌合させることのできる垂木に対して、
前記左右両翼部には下側パッキンを嵌合させ、前記本体中央部には上側パッキンの代わりに、嵩上げレールを嵌合させ、
該嵩上げレールの上から、左右末広がりの脚部の下面に防水テープを貼り付けた垂木カバーをネジ止め固定することにより、
前記下側パッキンと前記垂木カバーの脚部との間に透明板を挟んで固定する様にしたことを特徴とする温室の透明板支持構造。
【請求項２】
前記嵩上げレールが、以下の構成を備えていることを特徴とする請求項１記載の温室の透明板支持構造。
（Ａ）前記垂木の上側パッキンを嵌合する溝に抜け止め状態で嵌合する下端膨らみ部を全長に渡って備えていること。
（Ｂ）左右壁面において上下方向にずらして形成された長手方向に伸びる突条が形成された内壁面を有する上開放溝を全長に渡って備えていること。
（Ｃ）前記上開放溝の上端から左右に張り出して前記垂木カバーを下から支持する垂木カバー支持部を全長に渡って備えていること。
【請求項３】
下側パッキンを嵌合保持することのできる垂木と、嵩上げレール及び垂木カバーとを用いて以下の様に構成される温室の透明板支持構造。
（１）垂木は、以下の構成を備えていること。
（１ａ）抜け止め状態で下側パッキンの下部の膨らみを嵌合させる下側パッキン嵌合溝を左右両翼部の全長に渡って備えていること。
（１ｂ）抜け止め状態で上側パッキンの下部の膨らみを嵌合させる上側パッキン嵌合溝を本体中央部に全長に渡って備えていること。
（２）前記嵩上げレールは、以下の構成を備えていること。
（２ａ）前記垂木の前記上側パッキン嵌合溝に抜け止め状態で嵌合する下端膨らみ部を全長に渡って備えていること。
（２ｂ）左右壁面において上下方向にずらして形成された長手方向に伸びる突条が形成された内壁面を有する上開放溝を全長に渡って備えていること。
（２ｃ）前記上開放溝の上端から左右に張り出して前記垂木カバーを下から支持する垂木カバー支持部を全長に渡って備えていること。
（３）前記垂木カバーは、以下の構成を備えていること。
（３ａ）前記嵩上げレールの前記垂木カバー支持部によって支持される平板部と、該平板部の左右から斜め下方に向かって末広がりに伸びる傾斜板部と、該傾斜板部の下端から前記平板部と平行に外へ向かって伸びる脚部とを備えていること。
（３ｂ）前記平板部の上面中心にネジ位置合わせ用溝が全長に渡って刻設されていること。
（４）前記垂木の前記下側パッキン嵌合溝に対して下側パッキンを嵌合させ、前記垂木の前記上側パッキン嵌合溝に対して前記嵩上げレールの下端膨らみ部を嵌合させ、前記垂木カバーの脚部に対して全長に渡って防水テープを貼り付け、前記下側パッキンと前記垂木カバーとの間にガラス板を挟み込み、前記垂木カバーの前記ネジ位置合わせ用溝から前記嵩上げレールに向かってネジを締め込む様にしたこと。
【考案の詳細な説明】
【技術分野】
【０００１】
本考案は、温室の屋根等における透明板の取り付けに使用される透明板支持構造に関するものである。
【背景技術】
【０００２】
既存の温室の多くは、屋根構造として、図３に示す様に、下側パッキン１０１，１０１と、これら下側パッキン１０１，１０１を嵌合させる下側パッキン嵌合溝１０３，１０３を両翼部分に備え、本体中央に上側パッキン嵌合溝１０４を備える垂木１０５と、富士山状断面の大型上押さえパッキン１０２とを用いて、温室屋根のガラス板Ｇ，Ｇを上下から押さえ、大型上押さえパッキン１０２を垂木１０５にビス止め固定する方法を採用している。この種の屋根構造では、直射日光を受ける大型上押さえパッキン１０２が劣化し易く、頻繁に取り替えが必要な場合がある。
【０００３】
これに対し、近年、図４に示す様に、左右両側部にガラス支持部１１２を有すると共に中央部にタルキカバーの取付部１１３を備えた断面略逆「Ｔ字形」のタルキ１１１を配置し、タルキ１１１に沿って下段側からガラス板Ｇ，Ｇを重ね葺きし、ガラス板Ｇ，Ｇと取付部１１３との間の空隙Ｌを防水テープ１１０で目張りした後、タルキ１１１を覆うように取付部１３に、両側部に押圧部１１４ｃを有するタルキカバー１１４をネジ１１７でネジ止めして、押圧部１１４ｃで防水テープ１１０を介してガラス板Ｇ，Ｇを押圧固定しする屋根構造が提案されている（特許文献１）。
【特許文献１】実用新案登録第３０７６３９５号公報（図１，図２）
【考案の開示】
【考案が解決しようとする課題】
【０００４】
特許文献１の屋根構造は、補修等が便利であるが、上述した様な大型上押さえパッキンを使用している既存の温室の屋根構造をこれに交換することは困難である。
【０００５】
そこで、本考案は、大型上押さえパッキンを使用している既存の温室から、大型上押さえパッキンを用いずに透明板を固定する方式へと容易に改装することを目的とする。
【課題を解決するための手段】
【０００６】
上記目的を達成するためになされた本考案の温室の透明板支持構造は、左右両翼部に下側パッキンを、本体中央部に上側パッキンを嵌合させることのできる垂木に対して、前記左右両翼部には下側パッキンを嵌合させ、前記本体中央部には上側パッキンの代わりに、嵩上げレールを嵌合させ、該嵩上げレールの上から、左右末広がりの脚部の下面に防水テープを貼り付けた垂木カバーをネジ止め固定することにより、前記下側パッキンと前記垂木カバーの脚部との間に透明板を挟んで固定する様にしたことを特徴とする。
【０００７】
ここで、本考案の温室の透明板支持構造において、前記嵩上げレールとして、以下の構成を備えるものを用いるとよい。
（Ａ）前記垂木の上側パッキンを嵌合する溝に抜け止め状態で嵌合する下端膨らみ部を全長に渡って備えていること。
（Ｂ）左右壁面において上下方向にずらして形成された長手方向に伸びる突条が形成された内壁面を有する上開放溝を全長に渡って備えていること。
（Ｃ）前記上開放溝の上端から左右に張り出して前記垂木カバーを下から支持する垂木カバー支持部を全長に渡って備えていること。
【０００８】
上記目的を達成するためになされたより具体的な本考案の温室の透明板支持構造は、下側パッキンを嵌合保持することのできる垂木と、嵩上げレール及び垂木カバーとを用いて以下の様に構成される。
（１）垂木は、以下の構成を備えていること。
（１ａ）抜け止め状態で下側パッキンの下部の膨らみを嵌合させる下側パッキン嵌合溝を左右両翼部の全長に渡って備えていること。
（１ｂ）抜け止め状態で上側パッキンの下部の膨らみを嵌合させる上側パッキン嵌合溝を本体中央部に全長に渡って備えていること。
（２）前記嵩上げレールは、以下の構成を備えていること。
（２ａ）前記垂木の前記上側パッキン嵌合溝に抜け止め状態で嵌合する下端膨らみ部を全長に渡って備えていること。
（２ｂ）左右壁面において上下方向にずらして形成された長手方向に伸びる突条が形成された内壁面を有する上開放溝を全長に渡って備えていること。
（２ｃ）前記上開放溝の上端から左右に張り出して前記垂木カバーを下から支持する垂木カバー支持部を全長に渡って備えていること。
（３）前記垂木カバーは、以下の構成を備えていること。
（３ａ）前記嵩上げレールの前記垂木カバー支持部によって支持される平板部と、該平板部の左右から斜め下方に向かって末広がりに伸びる傾斜板部と、該傾斜板部の下端から前記平板部と平行に外へ向かって伸びる脚部とを備えていること。
（３ｂ）前記平板部の上面中心にネジ位置合わせ用溝が全長に渡って刻設されていること。
（４）前記垂木の前記下側パッキン嵌合溝に対して下側パッキンを嵌合させ、前記垂木の前記上側パッキン嵌合溝に対して前記嵩上げレールの下端膨らみ部を嵌合させ、前記垂木カバーの脚部に対して全長に渡って防水テープを貼り付け、前記下側パッキンと前記垂木カバーとの間にガラス板を挟み込み、前記垂木カバーの前記ネジ位置合わせ用溝から前記嵩上げレールに向かってネジを締め込む様にしたこと。
【考案の効果】
【０００９】
本考案によれば、大型上押さえパッキンを使用している既存の温室に対して、大型上押さえパッキンを用いずに透明板を固定する方式へと容易に改装することができる。
【考案を実施するための最良の形態】
【００１０】
次に、本考案の実施の形態について説明する。実施形態としての温室の屋根構造は、図１に示す様な垂木１０と、嵩上げレール２０と、垂木カバー３０とを用いてガラス板Ｇを固定する。
【００１１】
垂木１０は、元々は、図３に示す様に、左右両翼部に下側パッキンＰ１，Ｐ１を、本体中央部に上側パッキンＰ２を嵌合させることのできるものである。このため、図１に示す様に、抜け止め状態で下側パッキンＰ１，Ｐ１の下部の膨らみを嵌合させる下側パッキン嵌合溝１１，１１を左右両翼部の全長に渡って備えている。また、抜け止め状態で上側パッキンＰ２の下部の膨らみを嵌合させる上側パッキン嵌合溝１３を本体中央部に全長に渡って備えている。
【００１２】
嵩上げレール２０は、上側パッキンＰ２の代わりに嵌合さるため、垂木１０の上側パッキン嵌合溝１３に抜け止め状態で嵌合する下端膨らみ部２１を全長に渡って備えている。また、左右壁面において上下方向にずらして形成された長手方向に伸びる突条２２が形成された内壁面を有する上開放溝２３を全長に渡って備えている。さらに、上開放溝２３の上端から左右に張り出して垂木カバー３０を下から支持する垂木カバー支持部２４，２４を全長に渡って備えている。
【００１３】
垂木カバー３０は、嵩上げレール２０の垂木カバー支持部２４，２４によって支持される平板部３１と、平板部３１の左右から斜め下方に向かって末広がりに伸びる傾斜板部３２，３２と、傾斜板部３２，３２の下端から平板部３１と平行に外へ向かって伸びる脚部３３，３３とを備えている。また、平板部３１の上面中心に断面三角形のネジ位置合わせ用溝３４が全長に渡って刻設されている。また、平板部３１の下面には、嵩上げレール２０の垂木カバー支持部２４，２４がちょうど嵌り込む様に、垂直壁３５，３５が全長に渡って備えられている。
【００１４】
ガラス板Ｇ，Ｇを固定する際には、図２に示す様に、垂木１０の下側パッキン嵌合溝１１，１１に対して下側パッキンＰ１，Ｐ１を嵌合させ、垂木１０の上側パッキン嵌合溝１３に対して嵩上げレール２０の下端膨らみ部２１を嵌合させ、垂木カバー３０の脚部３３，３３に対して全長に渡って防水テープＴ，Ｔを貼り付け、下側パッキンＰ１，Ｐ１と垂木カバー３０との間にガラス板Ｇ，Ｇを挟み込み、垂木カバー３０のネジ位置合わせ用溝３４から嵩上げレール２０に向かってネジを締め込む。
【００１５】
本実施形態によれば、図３に示した様な既存の温室に対して、大型上押さえパッキンを用いることのない透明板支持構造へと容易に改装することができる。
【００１６】
以上、本考案の一実施の形態について説明したが、本考案はこの実施の形態に限られるものではなく、その要旨を逸脱しない範囲内においてさらに種々の形態を採用することができることはもちろんである。
【図面の簡単な説明】
【００１７】
【図１】実施形態の温室の透明板支持構造を示し、（Ａ）は各部品を組み立てた様子、（Ｂ）は垂木カバー、（Ｃ）は嵩上げレール、（Ｄ）は垂木のそれぞれ正面図である。
【図２】実施形態の温室の透明板支持構造の正面図である。
【図３】既存温室の透明板支持構造の正面図である。
【図４】従来技術の透明板支持構造の正面図である。
【符号の説明】
【００１８】
１０・・・垂木
１１・・・下側パッキン嵌合溝
１３・・・上側パッキン嵌合溝
２０・・・嵩上げレール
２１・・・下端膨らみ部
２２・・・突条
２３・・・上開放溝
２４・・・垂木カバー支持部
３０・・・垂木カバー
３１・・・平板部
３２・・・傾斜板部
３３・・・脚部
３４・・・ネジ位置合わせ用溝
３５・・・垂直壁
Ｇ・・・ガラス板
Ｐ１，Ｐ１・・・下側パッキン嵌合溝
Ｐ２・・・上側パッキン嵌合溝
【図１】
0003137019.tif 000003
【図２】
0003137019.tif 000004
【図３】
0003137019.tif 000005
【図４】
0003137019.tif 000006